(57)【要約】【課題】光ディスクの歪みのみならず、情報の記録／再生における特性劣化の他の要因による特性の劣化を防止し、記録／再生の品質を向上させることができるディスク・スタビライザ及びこれを用いた光ディスク装置を提供する。【解決手段】ディスク状の基板４１と、該基板を覆う塗装膜４２、４３とを有し、光ディスクに当接して使用されるディスク・スタビライザ１４であって、該塗装膜は前記光ディスクに照射される光を吸収する特性を持つ塗料及び該塗料の中に混合されたゴムを含む。【選択図】　　　　　図４
2004022121.tif 000002
【特許請求の範囲】
【請求項１】
ディスク状の基板と、該基板を覆う塗装膜とを有し、光ディスクに当接して使用されるディスク・スタビライザであって、該塗装膜は前記光ディスクに照射される光を吸収する特性を持つ塗料及び該塗料の中に混合されたゴムを含むことを特徴とするディスク・スタビライザ。
【請求項２】
前記塗装膜は更に帯電防止剤を含むことを特徴とする請求項１記載のディスク・スタビライザ。
【請求項３】
前記塗装膜は、前記基板の第１の面上に形成されかつ前記塗料及びゴムを含む第１の塗装膜と、前記第１の面に対向する面上に形成されかつ前記塗料及びゴムに加え帯電防止剤を含む第２の塗装膜を有することを特徴とする請求項１記載のディスク・スタビライザ。
【請求項４】
前記第１の塗装膜は、前記光ディスクに接触する面を形成することを特徴とする請求項３記載のディスク・スタビライザ。
【請求項５】
前記塗装膜は更に帯電防止剤を含み、該塗装膜は前記基板の対向する２つの面上に形成されていることを特徴とする請求項１記載のディスク・スタビライザ。
【請求項６】
前記ディスク・スタビライザの径は、前記光ディスクの径に略等しいことを特徴とする請求項１から５のいずれか一項記載のディスク・スタビライザ。
【請求項７】
光ディスクが載置されるターンテーブルと、該ターンテーブルを回転駆動するスピンドルモータと、磁力により前記ターンテーブルに吸着されるチャッキング部材と、該チャッキング部材と前記光ディスクとの間に位置するディスク・スタビライザとを有し、該ディスク・スタビライザは請求項１から６のいずれか一項記載のディスク・スタビライザであることを特徴とする光ディスク装置。
【発明の詳細な説明】
【０００１】
【発明の属する技術分野】
本発明は、レーザ光を用いてディスク状の光記録媒体上に情報の記録及び／又は再生を行う光ディスク装置に関し、特に光記録媒体をチャッキングする技術に関する。
【０００２】
【従来の技術】
ディスク状の光記録媒体として、ＣＤ−ＲＯＭ、ＣＤ−Ｒ、ＣＤ−ＲＷ、ＤＶＤ−ＲＯＭ、ＤＶＤ−ＲＡＭなどが知られている（以下、このような記録媒体を光ディスクという）。光ディスクは光ディスク装置に装着され、レーザを用いて情報の記録及び／又は再生が行われる。光ディスク装置内に挿入された光ディスクは、スピンドルモータで回転駆動されるターンテーブル上に載置される。ターンテーブルの上方にはチャッキング部材が設けられている、チャッキング部材はクランパ又はチャッキングプーリとも呼ばれ、磁力によりターンテーブル上に吸着される。この吸着力により、ターンテーブルとチャッキング部材は光ディスクを挟持する。
【０００３】
このようにして所定位置に装着された光ディスクに反りがあると、安定した信号再生を行うことができない。そこで、例えば特開平９−１６７２７２号公報には、光ディスクの反りを低減するためのディスク・スタビライザが提案されている。ここで提案されているスタビライザは、ゴム又はプラスチック等により形成され、光ディスクの上面に装着した場合にその全面を覆う大きさを持つ。
【０００４】
【発明が解決しようとする課題】
しかしながら、上記公報に記載のディスク・スタビライザは光ディスクの反りに起因した信号再生上の不安定さを軽減することができるのみで、他の要素に起因した情報の記録／再生における特性の劣化を防止することはできない。
【０００５】
従って、本発明は上記従来技術の問題点を解決し、光ディスクの歪みのみならず、情報の記録／再生における特性劣化の他の要因による特性の劣化を防止し、記録／再生の品質を向上させることができるディスク・スタビライザ及びこれを用いた光ディスク装置を提供することを目的とする。
【０００６】
【課題を解決するための手段】
上記課題は、ディスク状の基板と、該基板を覆う塗装膜とを有し、光ディスクに当接して使用されるディスク・スタビライザであって、該塗装膜は前記光ディスクに照射される光を吸収する特性を持つ塗料及び該塗料の中に混合されたゴムを含むディスク・スタビライザで解決される。このディスク・スタビライザは、光ディスクの歪みを軽減するのみならず、乱反射光による記録／再生の品質劣化の防止、及びゴムの混合による光ディスクとの密着性を向上させることができる上記ディスク・スタビライザにおいて、前記塗装膜は更に帯電防止剤を含む構成とすることができる。このように構成されたディスク・スタビライザは、光ディスクの歪みを軽減するのみならず、乱反射光による記録／再生の品質劣化の防止、ゴムの混合による密着性の向上及び静電気による悪影響の回避を同時に実現することができる。
【０００７】
上記ディスク・スタビライザにおいて、前記塗装膜は前記基板の第１の面上に形成されかつ前記塗料及びゴムを含む第１の塗装膜と、前記第１の面に対向する面上に形成されかつ前記塗料及びゴムに加え帯電防止剤を含む第２の塗装膜を有する構成とすることができる。これにより、上記と同様の作用・効果を得ることができる。この場合、前記第１の塗装膜は、前記光ディスクに接触する面を形成することが好ましい。
【０００８】
上記ディスク・スタビライザにおいて、前記塗装膜は更に帯電防止剤を含み、該塗装膜は前記基板の対向する２つの面上に形成されている構成とすることができる。これにより、上記と同様の作用・効果を得ることができる。
【０００９】
上記ディスク・スタビライザにおいて、前記ディスク・スタビライザの径は、前記光ディスクの径に略等しい構成とすることができる。これにより、光ディスクの歪みを軽減、乱反射光による記録／再生の品質劣化の防止、ゴムの混合による密着性の向上及び静電気による悪影響の回避を効果的に実現することができる。
【００１０】
上記課題はまた、光ディスクが載置されるターンテーブルと、該ターンテーブルを回転駆動するスピンドルモータと、磁力により前記ターンテーブルに吸着されるチャッキング部材と、該チャッキング部材と前記光ディスクとの間に位置するディスク・スタビライザとを有し、該ディスク・スタビライザは請求項１から６のいずれか一項記載のディスク・スタビライザである光ディスク装置で達成される。
【００１１】
【発明の実施の形態】
初めに、本発明の原理を説明する。本発明は、光ディスクの歪みに起因した記録／再生の品質の劣化のみならず、他の要因による特性の劣化をも同時に防止しして、記録／再生品質を向上させることができるディスク・スタビライザである。本発明者は、他の要因として、以下に着目した。
【００１２】
第１の要因は、光ピックアップのレーザ光が光ディスクのディスクレーベル面上の印刷などで乱反射し、記録／再生の品質を劣化させる点である。光ピックアップのレーザ光は光ディスクの情報記録面で反射され、光ピックアップに戻る。しかしながら、実際には反射された光がすべて直接光ピックアップに戻るのではなく、一部の光は光ディスク上の印刷面や装置内部で反射を繰り返した後に、光ピックアップに戻る。このようにして戻った光が記録／再生の品質を劣化させる。特に、記録時の品質劣化は書き込みエラーとなり、致命的な品質劣化となる。本発明に係るディスク・スタビライザは、この問題点を解決することができる。
【００１３】
第２の要因は、光ディスクの回転により光ディスクに静電気が帯電し、静電気の影響で記録／再生の品質が劣化してしまう。また、帯電した静電気によりディスク記録面に粉塵が付着しやすくなり、記録／再生の品質が劣化してしまう。本発明に係るディスク・スタビライザはこの問題点も同時に解決することができる。
【００１４】
以下、本発明の実施形態を説明する。
【００１５】
図１は、本発明の一実施形態に係るディスク・スタビライザ及びこれを用いた光ディスク装置の要部分解斜視図である。また、図２は、図１に示す光ディスク装置の正面図である。更に、図３は図１及び図２に示すディスク・スタビライザの斜視図、及び図４は図１〜図３に示すディスク・スタビライザの断面図である。なお、これらの図において、同一のものには同一の参照番号を付してある。
【００１６】
光ディスク装置１０は、チャッキング部材であるチャッキングプーリ１２、ディスク・スタビライザ１４、ターンテーブル１８、スピンドルモータ２０及び回路基板２２を有する。チャッキングプーリ１２、ディスク・スタビライザ１４及びターンテーブル１８は、光ディスクのチャッキング機構を構成する。光ディスク１６はチャッキングプーリ１２とターンテーブル１８とで挟持されるとともに、ディスク・スタビライザ１４で押圧されている。
【００１７】
ターンテーブル１８は円盤状の外形を有する。ターンテーブル１８の上面の中心部分には、載置された光ディスクの中心孔１７に挿入される円柱状部２６が形成されている。円柱状部２６により、光ディスク１６の中心軸を回転軸に一致させることができる。ターンテーブル１８の上面外縁部分には、光ディスク１６の下面、つまり記録面に接触して光ディスク１６を支持する環状の載置面２７が形成されている。ターンテーブル１８は、スピンドルモータ２０の回転軸３１（図２）に接続され、スピンドルモータ２０によって回転駆動される。回路基板２２上にはスピンドルモータ２０を駆動する駆動回路が形成されている。回路基板２２はフレキシブル配線基板２３を用いて、図示しないＣＰＵに接続される。フレキシブル配線基板２３上には、図２に示す配線パターン３２が形成されている。
【００１８】
円柱状部２６の上面の中心（ターンテーブル１８の軸線上）には、円形孔２８が形成されている。また、円柱状部２６の上面には、円形孔２８を取り囲むように、リング状のマグネット（図示を省略してある）が埋め込まれている。更に、円柱状部２６の外周面には、円柱状部２６が挿入された光ディスク１６の中心孔１７の内面と係合して光ディスク１６をガタなく保持するための係合舌片３０が、等間隔で複数個配置されている。
【００１９】
チャッキングプーリ１２は、円盤状の外形を有する。このチャッキングプーリ１２に、ディスク・スタビライザ１４が取り付けられている。チャッキングプーリ１２には、その中心軸と同軸に、磁性金属からなる凸部２４がターンテーブル１８方向に向けて設けられている。この凸部２４は、図３に示すディスク・スタビライザ１４の中心孔１５及び図１に示す光ディスク１６の中心孔１７を通り、ターンテーブル１８の上面に当接する。この状態で、チャッキングプーリ１２は磁力の作用によりターンテーブル１８に吸着される。チャッキングプーリ１２の下面には、その中心軸上に別の凸部が形成されており、この凸部がターンテーブル１８の円形穴２８内に挿入される。これにより、チャッキングプーリ１２、ディスク・スタビライザ１４及びターンテーブル１８の中心軸（回転軸）は一致する。
【００２０】
図３に示すように、ディスク・スタビライザ１４には、その中心孔１５の周囲に複数の孔１３が形成されている。この孔１３に、チャッキングプーリ１２の下面から突出する係合部（図１では隠れて現われない）が係合し、ディスク・スタビライザ１４がチャッキングプーリ１２に固定される。チャッキングプーリ１２とディスク・スタビライザ１４との当接面に、例えばエポキシ系の樹脂を供給して、これらを接着固定することが好ましい。なお、チャッキングプーリ１２は、例えば前述の特開平９−１６７２７２号公報に記載されているように、光ディスク装置の筐体（図示を省略する）の上部に固定されている。
【００２１】
光ディスク１６が所定位置に装着されると、チャッキングプーリ１２とターンテーブル１８とが磁力によりディスク・スタビライザ１４及び光ディスク１６を挟持するため、ディスク・スタビライザ１４が光ディスク１６の全面を押圧する。これにより、光ディスク１６の歪みが軽減され、記録／再生の品質を向上させることができる。
【００２２】
図４に示すように、ディスク・スタビライザ１４は、基板４１と、その対向する面にそれぞれ設けられた塗装膜４２、４３とを有する。塗装膜４２がチャッキングプーリ１２側であり、塗装膜４３が光ディスク１６側である。基板４１はディスク状であり、図２に示すように、光ディスク１６と略同一の径を有する。基板４１の径、つまりディスク・スタビライザ１４の径は光ディスク１６より小さくてもよいし、大きくてもよい。基板４１の厚みは例えば１ｍｍである。基板４１は例えば、プラスチック、鉄、銅、ステンレス、アルミニウム、セラミックスなどで形成される。塗装膜４２と４３は同一の組成を持つ膜であってもよいし、異なる組成を持つ膜であってもよいが、少なくとも光ディスク１６に照射される光（図２の矢印で示す）を吸収する特性を持つ塗料及びこの塗料の中に混合されたゴムを含む。光ディスク１６に照射される光が赤色レーザ光の場合には、例えば黒の塗料が用いられる。これにより、図示を省略する光ピックアップから照射され、光ディスク１６の記録面で乱反射された光が、光ディスク装置の筐体内部で反射又は乱反射され、塗装膜４２に到達すると、ここで吸収される。従って、塗装膜４２で乱反射光が反射されることがなくなり、光ピックアップは光ディスク１６の記録面で反射された光のみを受光することができる。よって、記録／再生の品質が向上する。なお、塗装膜４２、４３の厚みは例えば０．１ｍｍである。
【００２３】
塗装膜４２及び４３に含まれるゴムは、光ディスク１６とディスク・スタビライザ１４との密着性を高め、記録／再生の品質を向上させる。本来、密着性を向上させるには、塗装膜４３にゴムを混合させることで充分であるが、塗装膜４２にもゴムを含めることで、単一の製造工程で塗装膜４２と４３の両方を製造することができる。赤色レーザ光に対しては、ゴムも黒であることが好ましい。
【００２４】
黒の塗料としては例えば、「チンチングブラック」（ロックペイント社の製品番０３５−００３０）、「ブラック」（品番０３０−０２３４）、「フラットベース」（つや消し剤：品番０３５−００９５）などを用いることができる。また、黒のゴムは例えばポリエステル系のゴムである。このようなゴムは、例えば武蔵塗料製の商品名「ラバサン」のつや消しブラック（品番７８１２−００ＴＹ）があり、硬化剤（品名Ｈ−６００）及び希釈剤であるシンナー（品名２９６２５）とともに用いる。
【００２５】
より好ましくは、少なくともチャッキングプーリ１２側の塗装膜４２、又は塗装膜４２と４３の両方に、帯電防止剤を混合する。これにより、光ディスク１６の回転により光ディスク１６に静電気が帯電し、静電気の影響で記録／再生の品質が劣化してしまうことを防止することができる。また、帯電した静電気によりディスク記録面に粉塵が付着しやすくなり、記録／再生の品質が劣化してしまうという問題点も解消することができる。帯電防止剤としては、例えばポリマー系の静電防止剤を用いることができる。この種の静電防止剤には、コルコート社製の「コルコート」（品番ＮＲ−１２１Ｘ−９）などがある。
【００２６】
以上説明したように、ディスク・スタビライザ１４は光ディスク１６の歪みを軽減するのみならず、乱反射光による記録／再生の品質劣化の防止、ゴムの混合による密着性の向上及び静電気による悪影響の回避を同時に実現することができる。
【００２７】
本発明は上記実施の形態に限定されるものではなく、他の様々な実施の形態を含む。例えば、光ピックアップの光源に青色レーザを用いる光ディスク装置では、青を吸収する色（例えば赤）の塗装が施される。これにより、青色の乱反射光はディスク・スタビライザで吸収され、光ピックアップの受光部に戻ることはない。よって、情報の記録／再生の品質が向上する。
【００２８】
【発明の効果】
以上説明したように、本発明によれば、光ディスクの歪みのみならず、情報の記録／再生における特性劣化の他の要因による特性の劣化を防止し、記録／再生の品質を向上させることができるディスク・スタビライザ及びこれを用いた光ディスク装置を提供することができる。
【図面の簡単な説明】
【図１】本発明の一実施形態に係るディスク・スタビライザ及びこれを用いた光ディスク装置の要部分解斜視図である。
【図２】図１に示す光ディスク装置の正面図である。
【図３】図１及び図２に示すディスク・スタビライザの斜視図である。
【図４】図１〜図３に示すディスク・スタビライザの断面図である。
【符号の説明】
１０　　光ディスク装置
１２　　チャッキングプーリ
１３　　孔
１４　　ディスク・スタビライザ
１５　　中心孔
１６　　光ディスク
１７　　中心孔
１８　　ターンテーブル
２０　　スピンドルモータ
２２　　回路基板
２３　　フレキシブル配線基板
２４　　凸部
２６　　円柱状部
２７　　載置面
２８　　円形孔
３０　　係合舌片
３１　　回転軸
３２　　配線パターン
４１　　基板
４２，４３　　塗装膜
【図１】
2004022121.tif 000003
【図２】
2004022121.tif 000004
【図３】
2004022121.tif 000005
【図４】
2004022121.tif 000006